(57)【要約】【課題】ダクトから供給される温風により栽培ベッドを介して栽培土に伝熱して栽培土を蓄熱体として利用し、栽培ハウス内の温度むらを解消するようにした低廉な栽培床装置と、栽培ベッドの温度制御に使用された暖冷風をハウス内に開放することによってハウス内の温度をコントロールすることができる栽培ハウスを提供する。【解決手段】ハウス内に複数列設置される栽培床の栽培ベッドを伝熱性の良好な材質で形成すると共に、互いに隣接する栽培ベッド間に該栽培ベッドの長手方向に沿って暖冷風ダクトを敷設し、該暖冷風ダクトの外周面をそれぞれの栽培ベッドの側壁面に接触させ、暖冷風ダクトの開放端をハウス内に開放し、該暖冷風ダクトから放出される暖冷風によりハウス内を温度制御する。【選択図】          図１
2004344134.tif 000002
【特許請求の範囲】
【請求項１】
ハウス内に複数列設置される栽培床の栽培ベッドをアルミ等の伝熱性の良好な材質によって形成すると共に、互いに隣接する栽培ベッド間に該栽培ベッドの長手方向に沿って暖冷風ダクトを敷設し、該暖冷風ダクトの外側面をそれぞれの栽培ベッドの側壁面に接触させたことを特徴とする栽培床装置。
【請求項２】
暖冷風ダクトが布製その他の柔軟な材質からなり、該暖冷風ダクトに温風又は冷風を供給することによりダクトが膨らんで栽培ベッドの側壁面と接触するようになっていることを特徴とする請求項１に記載の栽培床装置。
【請求項３】
請求項１に記載の栽培床装置を設置した栽培ハウスであって、暖冷風ダクトの開放端をハウス内に開放し、該暖冷風ダクトから放出される暖冷風によりハウス内を温度制御することを特徴とする栽培ハウス。
【発明の詳細な説明】
【０００１】
【発明の属する技術分野】
本発明は、特にメロン栽培に適する栽培床装置及び栽培ハウスに係り、栽培ベッドを加温又は冷却することにより該栽培ベッドを介して栽培土に蓄熱し又は栽培土を冷却して、ハウス内の温度むらを解消するようにした栽培床装置とハウス内を温度制御することができる栽培ハウスに関する。
【０００２】
【従来の技術】
従来の一般的なメロンの栽培床は、ハウス内にコンクリートブロック等からなるベッド支持台を敷設して該支持台上に断面略凹状に形成した金網製や合成樹脂製の栽培ベッドを設置し、該栽培ベッド内に寒冷紗を敷き込んで栽培土を収容した構成であり、地面から嵩上げされて隔離されている意味で隔離栽培ベッドと称される形態である。
【０００３】
植物栽培、特にメロン栽培においては、灌水管理等と共にハウス内や栽培土の温度管理が収量や品質に大きく影響するから、その対策が頗る重要であり、特に冬季におけるハウス内及び栽培床の保温対策は不可欠である。
【０００４】
そこで、従来は、ハウス内を暖房するために、ハウス内の地面近くに温水パイプ（放熱フィンを設けたものもある）を配管してハウス内下層部の空気を加温するようにしており、メロン栽培においてはこの温水暖房が最も適しているものとされていた。
【０００５】
また、育苗用ポットを使用する養液栽培装置として、発泡スチロール製のベッド支持台の上面に冷暖水用パイプを敷設して養液栽培用ベッドの温度調節をするようにしたものも提案されている（例えば、特許文献１）。
【０００６】
【特許文献１】
特開平６−２１７６５５号公報
【０００７】
【発明が解決しようとする課題】
従来の栽培床装置は、前記のように、ハウス内の地面近くに温水パイプを配管してハウス内下層部の空気を加温することでハウス内を暖房しようとするものであるため暖房効率が悪く、ハウス内の下層部の空気を加温したとしても暖気はすぐに上昇してハウス内上層部に滞留するから、ハウス内に温度むらが生じ、しかも、栽培床は養液の供給や灌水等により冷却されることがあるからハウス内下層部が冷却され、前記の温度むらが著しくなる傾向がある。
【０００８】
また、従来の温水暖房では熱源としてボイラーを必要とすると共に温水パイプの配管その他設備費が高くなり、ボイラーの燃費、配管設備の保守管理費等のランニングコストが高くなる欠点がある。
【０００９】
さらに、栽培ベッドの前記温水パイプ側に位置する部分は温水パイプからの暖気により多少間接的に加温されるとしても、該温水パイプと反対側の部分は加温されないため、栽培床自体にも温度差が生じてしまう欠点がある。このようなハウス内や栽培床の温度むらは、特に温度管理に繊細な管理を要するメロン栽培においては育苗や収量、品質等に多大の悪影響を与える。
【００１０】
一方、特許文献１に記載のものは、発泡スチロール製のベッド支持台は加温されるとしても、養液栽培用ベッド自体が樹皮の裁断片を合成ゴムエマルジョン樹脂のバインダーで固結したものであるから伝熱性が悪く、しかも、ハウス内の全体的な温度コントロールを充分に行い得る手段ではない。
【００１１】
本発明の目的は、従来の栽培床装置の欠点を解消し、ダクトから送風される温風又は冷気を有効に利用してハウス内全体を適切な温度環境に制御することができ、しかも設備費やランニングコストを低廉にすることができる栽培床装置と栽培ハウスを提供することにある。
【００１２】
【課題を解決するための手段】
本発明に係る栽培床装置は、請求項１に記載のものにおいては、
ハウス内に複数列設置される栽培床の栽培ベッドをアルミ等の伝熱性の良好な材質によって形成すると共に、互いに隣接する栽培ベッド間に該栽培ベッドの長手方向に沿って暖冷風ダクトを敷設し、該暖冷風ダクトの外側面をそれぞれの栽培ベッドの側壁面に接触させたことを特徴とする。
【００１３】
請求項２に記載のものは、暖冷風ダクトが布製その他の柔軟な材質からなり、該暖冷風ダクトに温風又は冷風を供給することによりダクトが膨らんで栽培ベッドの側壁面と接触するようになっていることを特徴とする。
【００１４】
本発明の栽培ハウスは、請求項１に記載の栽培床装置を設置した栽培ハウスであって、暖冷風ダクトの開放端をハウス内に開放し、該暖冷風ダクトから放出される暖冷風によりハウス内を温度制御することを特徴とする。
【００１５】
栽培床装置は、栽培ベッドをアルミ等の伝熱性の良好な材質によって形成すると共に、互いに隣接する栽培ベッド間に該栽培ベッドの長手方向に沿って暖冷風ダクトを敷設し、該暖冷風ダクトの外側面をそれぞれの栽培ベッドの側壁面に接触させた構成であるから、例えば、栽培ハウスの一側部に設置された暖冷風発生装置から温風又は冷風が暖冷風ダクトに供給されると、該暖冷風ダクトの外側面が栽培ベッドの側壁面に直接接触していて、しかも栽培ベッドがアルミ等の伝熱性の良好な材質で形成されているため、暖冷風ダクトと栽培ベッドとの間の熱伝作用が有効に働き、栽培ベッドを介して栽培土に蓄熱され又は栽培土が冷却されることとなって、栽培ハウスの下層部に位置する栽培床が蓄熱体又は冷却体として機能し、栽培ハウス内の温度を最適な状態に制御することができる。
【００１６】
この場合、請求項２に記載のように、暖冷風ダクトを布製その他の柔軟な材質で形成し、該暖冷風ダクトに温風又は冷風を供給することによりダクトが膨らんで栽培ベッドの側壁面と接触するようにすれば、低廉なダクトを使用することができると共に、固定式のダクトに比して栽培ベッドの側壁面との密接性を確保することができる。
【００１７】
栽培ハウスにおいては、前記のようにハウス内の温度むらが解消されると共に、暖冷風ダクトの開放端をハウス内に開放し、該暖冷風ダクトから放出される暖冷風によりハウス内上層部を温度制御することができる。また、暖冷媒体が空気であり、ハウス内へのダクトの設置も布製等のダクトを配設するだけであるから、多大の設備費を要することなく設置でき、ランニングコストも従来の温水暖房に比して低廉である。
【００１８】
【発明の実施の形態】
本発明に係る栽培床装置及び栽培ハウスの実施の形態を図面に基づいて説明する。
図１は、栽培床装置を概略的に示す断面図であり、暖冷風ダクトに暖冷風を供給している状態を示している。図２は暖冷風ダクトに暖冷風を供給していない状態の断面図であり、暖冷風ダクトは萎んでいる。図３は栽培ハウス内における栽培床及び暖冷風ダクトのレイアウトの例を示す平面図である。
【００１９】
図において、１はメロンＭ等の栽培のためにハウスＨ内に複数列設置される栽培床であり、コンクリートブロック等からなるベッド支持台１１の上に栽培ベッド２が設置され、該栽培ベッド２内に栽培土３を収容して畝を形成している。この栽培ベッド２の形状は単に角樋状に形成したものの他、種々のものがあるが、本発明においてはその材質を伝熱性の良好な材質で成形する。実施例では伝熱性に優れているアルミ材で成形されているが、アルミ材に限らず、伝熱性が良好で栽培ベッドとしての成形が可能な材質であれば他の金属板材を使用することができる。
【００２０】
前記のような栽培床１は、図１及び図３に示すように、通路Ｐを挟んで左右に２列づゝ配置され、互いに隣接する栽培ベッド２，２間に該栽培ベッド２の長手方向に沿って暖冷風ダクト４を敷設し、該暖冷風ダクト４の外側面をそれぞれの栽培ベッド２の側壁面２ｂに接触させるようにする。暖冷風ダクト４は実施例ではコストの低廉な布製の円形ダクトを使用し、その径が、隣接する栽培ベッド２，２の側壁２ｂ、２ｂ間の距離よりも大きなものを用いる。
【００２１】
前記暖冷風ダクト４は、温風又は冷風が供給されない不使用時には、図２に示すように、萎んだ状態になっており、温風又は冷風Ｅが供給されると膨らんで、図１に示すように、底部４ｂが地面に接すると共に上部４ａが左右の栽培ベッド２，２の側壁２ｂ，２ｂの上端間からはみ出し、左右側部４ｃ，４ｃは前記側壁２ｂ，２ｂで規制されて該側壁２ｂ，２ｂに密に接触する。前記暖冷風ダクト４への温風または冷風の供給を停止すると、前記暖冷風ダクト４が萎んで図２に示す状態となる。
【００２２】
図３は栽培ハウスＨ内における栽培床１及び暖冷風ダクト４のレイアウトの例を示す平面図であり、実施例では冬季用のものとして、前記暖冷風ダクト４は温風ダクトであって、栽培ハウスＨの一側壁面Ｈ１の中央に温風機６が設置され、該側壁面Ｈ１に沿って主ダクト７を敷設すると共に該主ダクト７から枝分かれするように前記暖冷風ダクト（温風ダクト）４が敷設されている。
【００２３】
前記暖冷風ダクト４の開放端４ａは上向きに屈曲されてハウス内に開放されており、該暖冷風ダクト４から上方に放出される暖冷風Ｅ（実施例では温風）によりハウス内の温度をメロン栽培に適する温度に制御するようになっている。
【００２４】
なお、実施例では冬季用の施設としたものであるが、夏季においては冷風で栽培床１及び栽培ハウスＨ内を温度制御するようにすることができるのは勿論である。
【００２５】
【発明の効果】
本発明の栽培床装置によれば、請求項１に記載のものにおいては、例えば、栽培ハウスの一側部に設置された暖冷風発生装置から温風又は冷風が暖冷風ダクトに供給されると、該暖冷風ダクトの外側面が栽培ベッドの側壁面に直接接触しており、しかも栽培ベッドがアルミ等の伝熱性の良好な材質で形成されているため、暖冷風ダクトと栽培ベッドとの間の熱伝作用が有効に働き、栽培ベッドを介して栽培土に蓄熱され又は栽培土が冷却されることとなって、栽培ハウスの下層部に位置する栽培床が蓄熱体又は冷却体として機能し、栽培ハウス内の温度を温度むらのない最適な状態に制御することができる。
【００２６】
請求項２に記載のものにおいては、暖冷風ダクトを布製その他の柔軟な材質で形成し、該暖冷風ダクトに温風又は冷風を供給することによりダクトが膨らんで栽培ベッドの側壁面と接触するようにしたから、低廉なダクトを使用することができると共に、固定式のダクトに比して栽培ベッドの側壁面との密接性を確保することができる。
【００２７】
本発明の栽培ハウスにおいては、前記のようにハウス内の温度むらが解消されると共に、暖冷風ダクトの開放端をハウス内に開放し、該暖冷風ダクトから放出される暖冷風によりハウス内上層部を温度制御することができる。また、暖冷媒体が空気であり、熱源装置も従来のボイラーに比して著しく低廉な温風機等を使用することができ、ハウス内へのダクトの設置も布製等のダクトを配設するだけであるから、多大の設備費を要することなく設置でき、ランニングコストも温水暖房を用いる従来のものに比して低廉である。
【図面の簡単な説明】
【図１】栽培床装置を概略的に示し、暖冷風ダクトに暖冷風を供給している状態の断面図である。
【図２】暖冷風ダクトに暖冷風を供給していない状態の断面図である。
【図３】栽培ハウス内における栽培床及び暖冷風ダクトのレイアウトの例を示す平面図である。
【符号の説明】
１      栽培床
２      栽培ベッド
３      栽培土
４      暖冷風ダクト
６      温風機
７      主ダクト
Ｅ      暖冷風
Ｈ      栽培ハウス
Ｐ      通路
Ｍ      メロン
【図１】
2004344134.tif 000003
【図２】
2004344134.tif 000004
【図３】
2004344134.tif 000005